(57)【要約】【課題】吸収性コアの股間部及び臀部において良好なフィット性を実現可能なパンツ型吸収性物品を提供する。【解決手段】上下方向に沿って配置された吸収性コア（１１）を備え、上下方向の下端部にて前後に折り曲げられた吸収性本体（１０）、を有するパンツ型吸収性物品（１）であって、吸収性コア（１１）は、前後方向の後側に折り曲げられた部分である後側部（１０Ｒ）を有し、吸収性コア（１１）は、後側部（１０Ｒ）において、周囲の領域よりも平均坪量が低くなっている後側低坪量領域（３９）と、後側低坪量領域（３９）よりも上下方向の上側に設けられ、後側低坪量領域（３９）よりも平均坪量が高くなっている臀部高坪量領域（５５）と、を有し、後側低坪量領域（３９）と臀部高坪量領域（５５）との境界部（５５ＢＦ）の少なくとも一部は、前記右方向の中央から両外側に向けて斜め下方向に傾斜している。【選択図】図６
2019118557.tif 000002
【特許請求の範囲】
【請求項１】
互いに交差する上下方向と左右方向と前後方向とを有し、
前記上下方向に沿って配置された吸収性コアを備え、前記上下方向の下端部にて前後に折り曲げられた吸収性本体、を有するパンツ型吸収性物品であって、
前記吸収性コアは、前記前後方向の後側に折り曲げられた部分である後側部を有し、
前記吸収性コアは、前記後側部において、
周囲の領域よりも平均坪量が低くなっている後側低坪量領域と、
前記後側低坪量領域よりも前記上下方向の上側に設けられ、前記後側低坪量領域よりも平均坪量が高くなっている臀部高坪量領域と、
を有し、
前記後側低坪量領域と前記臀部高坪量領域との境界部の少なくとも一部は、前記左右方向の中央から両外側に向けて斜め下方向に傾斜している、ことを特徴とするパンツ型吸収性物品。
【請求項２】
請求項１に記載のパンツ型吸収性物品であって、
前記後側低坪量領域は、前記上下方向に沿った縦長部を有している、ことを特徴とするパンツ型吸収性物品。
【請求項３】
請求項１または２に記載のパンツ型吸収性物品であって、
前記左右方向に伸縮する後側伸縮領域を備え、前記吸収性本体に接続された後側ベルト部を有し、
前記上下方向において、前記後側低坪量領域の少なくとも一部が、前記後側伸縮領域と重複している、ことを特徴とするパンツ型吸収性物品。
【請求項４】
請求項３に記載のパンツ型吸収性物品であって、
前記上下方向において、前記臀部高坪量領域は、前記後側伸縮領域と重複している、ことを特徴とするパンツ型吸収性物品。
【請求項５】
請求項１〜４のいずれか１項に記載のパンツ型吸収性物品であって、
前記左右方向に伸縮する後側伸縮領域を備え、前記吸収性本体に接続された後側ベルト部を有し、
前記上下方向において、前記後側低坪量領域の少なくとも一部が、前記後側ベルト部と重複している、ことを特徴とするパンツ型吸収性物品。
【請求項６】
請求項１〜４のいずれか１項に記載のパンツ型吸収性物品であって、
前記吸収性コアは、前記後側部において、
前記臀部高坪量領域よりも上側に、周囲の領域よりも平均坪量が低くなっている臀部低坪量領域を有している、ことを特徴とするパンツ型吸収性物品。
【請求項７】
請求項６に記載のパンツ型吸収性物品であって、
前記臀部高坪量領域と前記臀部低坪量領域との境界部の少なくとも一部は、前記左右方向の中央から両外側に向けて斜め下方向に傾斜している、ことを特徴とするパンツ型吸収性物品。
【請求項８】
請求項７に記載のパンツ型吸収性物品であって、
前記後側低坪量領域と前記臀部高坪量領域との境界部が前記左右方向に対してなす角度のうち小さい方の角度は、
前記臀部高坪量領域と前記臀部低坪量領域との境界部が前記左右方向に対してなす角度のうち小さい方の角度よりも大きい、ことを特徴とするパンツ型吸収性物品。
【請求項９】
請求項６または７に記載のパンツ型吸収性物品であって、
前記左右方向における、前記臀部高坪量領域と前記臀部低坪量領域との境界部の長さは、前記左右方向における、前記後側低坪量領域と前記臀部高坪量領域との境界部の長さよりも長い、ことを特徴とするパンツ型吸収性物品。
【請求項１０】
請求項６〜９のいずれか１項に記載のパンツ型吸収性物品であって、
前記臀部低坪量領域は、前記上下方向に沿った縦長部を複数有しており、
前記上下方向において、少なくとも一部の前記縦長部の上端位置と、前記吸収性コアの上端位置とが同じである、ことを特徴とするパンツ型吸収性物品。
【請求項１１】
請求項１〜１０のいずれか１項に記載のパンツ型吸収性物品であって、
前記後側低坪量領域は、前記上下方向に沿った縦長部と、前記縦長部と交差する複数の横長部とを有している、ことを特徴とするパンツ型吸収性物品。
【請求項１２】
請求項１〜１１のいずれか１項に記載のパンツ型吸収性物品であって、
着用時に着用者の股下に位置する股下部において、前記吸収性コアよりも非肌側に積層され、前記上下方向に沿って伸縮する股下伸縮領域を有する股下部材を有し、
前記後側低坪量領域の少なくとも一部は、前記股下伸縮領域と重複している、ことを特徴とするパンツ型吸収性物品。
【請求項１３】
請求項１〜１２のいずれか１項に記載のパンツ型吸収性物品であって、
前記後側部において、前記臀部高坪量領域の前記上下方向の下側、かつ、前記左右方向の中央には、前記上下方向に沿って前記吸収性コアを貫通する、中央低坪量領域が設けられている、ことを特徴とするパンツ型吸収性物品。
【請求項１４】
請求項１〜１３のいずれか１項に記載のパンツ型吸収性物品であって、
前記後側部において、前記後側低坪量領域の前記上下方向の下側には、前記後側低坪量領域よりも平均坪量が高くなっている第２臀部高坪量領域が設けられている、ことを特徴とするパンツ型吸収性物品。
【発明の詳細な説明】
【技術分野】
【０００１】
本発明は、パンツ型吸収性物品に関する。
【背景技術】
【０００２】
パンツ型吸収性物品は尿等の排泄液を吸収する吸収性コアを有している。そして、吸収性コアの一部の領域にスリット等を設けて剛性を低くすることにより、パンツ型吸収性物品の着用時に、当該低剛性部において吸収性コアが折れ曲がりやすくなり、着用者の身体に沿って立体的に変形しやすくする技術が知られている。例えば、特許文献１には、吸収性コアを、長手方向について腹側部，中間部，背側部の３つの領域に区分し、それぞれの領域に溝状の凹部を設け、それらの凹部同士が互いに連結している吸収性物品が開示されている。
【先行技術文献】
【特許文献】
【０００３】
【特許文献１】特開２０１２−１４３５３５号公報
【発明の概要】
【発明が解決しようとする課題】
【０００４】
特許文献１の吸収性物品は、吸収体が変形しやすくなる一方で、中間部及び背側部の凹部が互いに連結しているため、フィット性が悪化する場合がある。例えば、着用者の股下部における吸収性コアの折れ曲がりの起点となる中間部凹部の変形が、背側部凹部の変形を誘発し、着用者の背側部において臀部形状に沿った吸収性コアの変形が生じ難くなるおそれがある。また、着用者が歩行する際に脚を前後に動かすと、股下部（中間部）において吸収性コアの幅方向の両側部にそれぞれ反対方向（前方向と後方向）の力が作用するが、当該反対方向の力が背側部に伝播すると、臀部位に皺が生じやすくなるおそれがある。したがって、特許文献１のような吸収性物品では、股間部や股下部においてフィット性や肌触りが悪化するおそれがある。
【０００５】
本発明は、上記のような問題に鑑みてなされたものであって、その目的とするところは、吸収性コアの股間部及び臀部において良好なフィット性を実現可能なパンツ型吸収性物品を提供することにある。
【課題を解決するための手段】
【０００６】
上記目的を達成するための主たる発明は、互いに交差する上下方向と左右方向と前後方向とを有し、前記上下方向に沿って配置された吸収性コアを備え、前記上下方向の下端部にて前後に折り曲げられた吸収性本体、を有するパンツ型吸収性物品であって、前記吸収性コアは、前記前後方向の後側に折り曲げられた部分である後側部を有し、前記吸収性コアは、前記後側部において、周囲の領域よりも平均坪量が低くなっている後側低坪量領域と、前記後側低坪量領域よりも前記上下方向の上側に設けられ、前記後側低坪量領域よりも平均坪量が高くなっている臀部高坪量領域と、を有し、前記後側低坪量領域と前記臀部高坪量領域との境界部の少なくとも一部は、前記左右方向の中央から両外側に向けて斜め下方向に傾斜している、ことを特徴とするパンツ型吸収性物品である。
本発明の他の特徴については、本明細書及び添付図面の記載により明らかにする。
【発明の効果】
【０００７】
本発明によれば、吸収性コアの股間部及び臀部において良好なフィット性を実現可能なパンツ型吸収性物品を提供することができる。
【図面の簡単な説明】
【０００８】
【図１】パンツ型使い捨ておむつ１の斜視図である。
【図２】展開且つ伸長状態のおむつ１を非肌側から見た概略平面図である。
【図３】図２のＩ−Ｉ線での概略断面図である。
【図４】図４Ａは、展開且つ伸長状態の吸収性本体１０を肌側から見た概略平面図である。図４Ｂは、図４ＡのＡ−Ａ断面図である。
【図５】展開且つ伸長状態のおむつ１の概略平面図であり、各種伸縮領域（２１ｓ，２２ｓ，２３ｓ）と、吸収性コア１１との位置関係を説明する図である。
【図６】吸収性コア１１を肌側から見た平面図である。
【図７】おむつ１着用時における吸収性コア１１の変形について説明する概略斜視図である。
【発明を実施するための形態】
【０００９】
本明細書及び添付図面の記載により、少なくとも以下の事項が明らかとなる。
互いに交差する上下方向と左右方向と前後方向とを有し、前記上下方向に沿って配置された吸収性コアを備え、前記上下方向の下端部にて前後に折り曲げられた吸収性本体、を有するパンツ型吸収性物品であって、前記吸収性コアは、前記前後方向の後側に折り曲げられた部分である後側部を有し、前記吸収性コアは、前記後側部において、周囲の領域よりも平均坪量が低くなっている後側低坪量領域と、前記後側低坪量領域よりも前記上下方向の上側に設けられ、前記後側低坪量領域よりも平均坪量が高くなっている臀部高坪量領域と、を有し、前記後側低坪量領域と前記臀部高坪量領域との境界部の少なくとも一部は、前記左右方向の中央から両外側に向けて斜め下方向に傾斜している、ことを特徴とするパンツ型吸収性物品。
【００１０】
このようなパンツ型吸収性物品によれば、臀部高坪量領域によって、吸収性コアを左右方向に圧縮する力が股下部から臀部側へ伝達されることが抑制される。また、後側低坪量領域と臀部高坪量領域との境界に沿って吸収性コアが斜めに立ち上がり、着用者の臀部を包み込むように変形する。これにより、股間部から臀部に亘る領域で吸収性コアのフィット性を向上させることができる。
【００１１】
かかるパンツ型吸収性物品であって、前記後側低坪量領域は、前記上下方向に沿った縦長部を有している、ことが望ましい。
【００１２】
このようなパンツ型吸収性物品によれば、股下部から臀部に亘る領域で、縦長部を起点として吸収性コアが折れ曲がり変形を生じやすくなる。これにより、着用者の股下から臀部付近の身体形状に沿って吸収性コアが３次元的に変形しやすくなる。
【００１３】
かかるパンツ型吸収性物品であって、前記左右方向に伸縮する後側伸縮領域を備え、前記吸収性本体に接続された後側ベルト部を有し、前記上下方向において、前記後側低坪量領域の少なくとも一部が、前記後側伸縮領域と重複している、ことが望ましい。
【００１４】
このようなパンツ型吸収性物品によれば、後側伸縮領域と重複している部分において、後側低坪量領域に対して左右方向の収縮力が作用する。これにより、当該重複した部分では吸収性コアが収縮変形しやすくなると共に、着用者の脚の動き等によって発生する外力を緩衝しやすくなる。したがって、吸収性コアのフィット性がより向上する。
【００１５】
かかるパンツ型吸収性物品であって、前記上下方向において、前記臀部高坪量領域は、前記後側伸縮領域と重複している、ことが望ましい。
【００１６】
このようなパンツ型吸収性物品によれば、後側伸縮領域による収縮力を作用させることによって、剛性の高い臀部高坪量領域が変形しやすくなる。また、非肌側から収縮力が作用することにより、臀部高坪量領域が着用者の肌側に押し付けられるようになる。したがって、臀部高坪量領域が着用者の臀部の丸み沿って曲面を形成するように変形しつつ、着用者の肌に密着しやすくなり、吸収性コアのフィット性をより向上させることができる。
【００１７】
かかるパンツ型吸収性物品であって、前記左右方向に伸縮する後側伸縮領域を備え、前記吸収性本体に接続された後側ベルト部を有し、前記上下方向において、前記後側低坪量領域の少なくとも一部が、前記後側ベルト部と重複している、ことが望ましい。
【００１８】
このようなパンツ型吸収性物品によれば、後側ベルト部と重複する部分では、後側低坪量領域の非肌側における剛性が確保されやすくなる。したがって、吸収性コアは非肌側よりも肌側に折れ曲がりやすくなり、また、後側低坪量領域に過度な外力が作用する場合であっても、後側ベルト部によって外力が緩衝され、吸収性コアが破損することを抑制することができる。
【００１９】
かかるパンツ型吸収性物品であって、前記吸収性コアは、前記後側部において、前記臀部高坪量領域よりも上側に、周囲の領域よりも平均坪量が低くなっている臀部低坪量領域を有している、ことが望ましい。
【００２０】
このようなパンツ型吸収性物品によれば、臀部高坪量領域を挟んで上側（臀部側）と下側（股下側）とにそれぞれ低坪量領域が設けられていることにより、各々の領域において吸収性コアをより自然に変形させやすくすることができる。
【００２１】
かかるパンツ型吸収性物品であって、前記臀部高坪量領域と前記臀部低坪量領域との境界部の少なくとも一部は、前記左右方向の中央から両外側に向けて斜め下方向に傾斜している、ことが望ましい。
【００２２】
このようなパンツ型吸収性物品によれば、吸収性コアの臀部高坪量領域よりも上側の領域が、境界部の傾斜に沿って斜めに立ち上がるようになり、着用者の臀部の丸みを包み込むような曲面を形成しやすくなる。
【００２３】
かかるパンツ型吸収性物品であって、前記後側低坪量領域と前記臀部高坪量領域との境界部が前記左右方向に対してなす角度のうち小さい方の角度は、前記臀部高坪量領域と前記臀部低坪量領域との境界部が前記左右方向に対してなす角度のうち小さい方の角度よりも大きい、ことが望ましい。
【００２４】
このようなパンツ型吸収性物品によれば、股下部に近い方の境界部では、傾斜角度を大きくすることで吸収性コアの変形量を大きくすることができ、吸収性コアの折れ曲がり変形が生じやすくなる。一方、臀部に近い方の境界部では、傾斜角度を小さくすることで、吸収性コアが臀部の丸みに沿って緩やかに変形しやすくなる。
【００２５】
かかるパンツ型吸収性物品であって、前記左右方向における、前記臀部高坪量領域と前記臀部低坪量領域との境界部の長さは、前記左右方向における、前記後側低坪量領域と前記臀部高坪量領域との境界部の長さよりも長い、ことが望ましい。
【００２６】
このようなパンツ型吸収性物品によれば、着用者の臀部に近い方の境界部において、吸収性コアが変形可能な領域をより広くすることができる。したがって、臀部の広い領域が吸収性コアによって覆われやすくなり、フィット性をより向上させることができる。
【００２７】
かかるパンツ型吸収性物品であって、前記臀部低坪量領域は、前記上下方向に沿った縦長部を複数有しており、前記上下方向において、少なくとも一部の前記縦長部の上端位置と、前記吸収性コアの上端位置とが同じである、ことが望ましい。
【００２８】
このようなパンツ型吸収性物品によれば、吸収性コアの上端縁において、坪量及び剛性が低くなる部分が形成されるため、上端縁部分が柔軟に変形しやすくなる。したがって、着用者の臀部側の腰回りのカーブにあわせて吸収性コアの上端部が変形しやすくなり、また、腰回りにおける肌触りをソフトにすることができる。
【００２９】
かかるパンツ型吸収性物品であって、前記後側低坪量領域は、前記上下方向に沿った縦長部と、前記縦長部と交差する複数の横長部とを有している、ことが望ましい。
【００３０】
このようなパンツ型吸収性物品によれば、上下方向に沿って延びる縦長部と、左右方向に沿って延びる横長部とを互いに交差させるように設けることによって、股下部において、吸収性コアをより柔軟に変形させやすくすることができる。
【００３１】
かかるパンツ型吸収性物品であって、着用時に着用者の股下に位置する股下部において、前記吸収性コアよりも非肌側に積層され、前記上下方向に沿って伸縮する股下伸縮領域を有する股下部材を有し、前記後側低坪量領域の少なくとも一部は、前記股下伸縮領域と重複している、ことが望ましい。
【００３２】
このようなパンツ型吸収性物品によれば、吸収性コアの後側低坪量領域に対して、非肌側から上下方向の伸縮性が作用することにより、該後側低坪量領域では、吸収性コアが着用者の股間部に沿って湾曲するように変形する。また、吸収性コアが肌側に折れ曲がりやすくなるため、着用者の身体形状に沿った変形が促進される。
【００３３】
かかるパンツ型吸収性物品であって、前記後側部において、前記臀部高坪量領域の前記上下方向の下側、かつ、前記左右方向の中央には、前記上下方向に沿って前記吸収性コアを貫通する、中央低坪量領域が設けられている、ことが望ましい。
【００３４】
このようなパンツ型吸収性物品によれば、吸収性コアが着用者の股間部で両脚に挟み込まれた際に、剛性が最も低い中央低坪量領域を基点として吸収性コアが上下方向に沿って肌側に凸形状となるように折れ曲がり変形しやすくなる。これにより、吸収性コアが着用者の排泄口や臀部の割れ目に沿ってフィットしやすくなる。
【００３５】
かかるパンツ型吸収性物品であって、前記後側部において、前記後側低坪量領域の前記上下方向の下側には、前記後側低坪量領域よりも平均坪量が高くなっている第２臀部高坪量領域が設けられている、ことが望ましい。
【００３６】
このようなパンツ型吸収性物品によれば、股下部において、吸収性コアに大きな力が作用した場合であっても、そのような力の一部が第２臀部高坪量領域において緩和され、股下側から臀部側に大きな力が伝達されることを抑制しやすくなる。これにより、吸収性コアのフィット性をより向上させることができる。
【００３７】
＝＝＝実施形態＝＝＝
以下、本発明の「パンツ型吸収性物品」として、大人用のパンツ型使い捨ておむつ１（以下、「おむつ１」とも呼ぶ）を例に挙げて実施形態を説明する。但し、本発明のパンツ型吸収性物品は、例えば、子供用の使い捨ておむつや、生理用品（ショーツ型ナプキン）等としても利用可能である。
＜＜おむつ１の全体構成＞＞
図１は、おむつ１の概略斜視図である。図２は、展開且つ伸長状態のおむつ１を非肌側から見た概略平面図である。図３は、図２のＩ−Ｉ線での概略断面図である。なお、おむつ１の「伸長状態」とは、おむつ１を皺なく伸長させた状態であり、おむつ１を構成する各部材（例えば後述する外装部材２０等）の寸法がその部材単体の寸法と一致又はそれに近い長さになるまで伸長した状態である。
【００３８】
おむつ１は、互いに交差する上下方向、左右方向、及び、前後方向を有するとともに、図３に示すように、各部材が積層された厚さ方向を有する。上下方向において、着用者の胴側となる側を上側とし、着用者の股下となる側を下側とする。前後方向において、着用者の腹側となる側を前側とし、着用者の背側となる側を後側とする。厚さ方向において、着用者の身体に接する側を肌側とし、その反対側を非肌側とする。また、図２の展開状態において、おむつ１は、互いに交差する長手方向及び幅方向を有している。長手方向は、上下方向に沿った方向であり、幅方向は、左右方向と同じ方向である。
【００３９】
おむつ１は、平面視長方形状である吸収性本体１０と、吸収性本体１０の非肌側に位置する外装部材２０とを有している。外装部材２０は、図１の前後方向における前側に位置する腹側外装部材２１（前側ベルト部２１）と、前後方向における後側に位置する背側外装部材２２（後側ベルト部２２）と、それらを繋ぐ股下外装部材２３（股下部材２３）とを有している。厚さ方向に隣接する上記部材は接着剤等で接合されている。
【００４０】
また、吸収性本体１０の長手方向の一端側に、前側ベルト部２１が位置し、吸収性本体１０の長手方向の他端側に、後側ベルト部２２が位置している。吸収性本体１０の長手方向において、前側ベルト部２１が位置する側を前側とし、後側ベルト部２２が位置する側を後側とする。つまり、前側ベルト部２１は吸収性本体１０の前側上端部に位置し、後側ベルト部２２は吸収性本体１０の後側上端部に位置している。また、股下部材２３は前側ベルト部２１及び後側ベルト部２２よりも肌側に位置している。
【００４１】
なお、本実施形態のおむつ１では外装部材２０が３部材から構成されているが、これに限らない。例えば、前側ベルト部２１、後側ベルト部２２、及び、股下部材２３が１部材であっても良い。また、股下部材２３を有さない構成や、外装部材２０よりも非肌側に外装部材２０とは異なる部材がさらに積層されている構成であっても良い。
【００４２】
図２に示す展開状態のおむつ１は、吸収性本体１０が長手方向の所定位置ＣＬで前後に２つ折りされ、前側ベルト部２１の左右方向の両側部と後側ベルト部２２の左右方向の両側部とが溶着等で接合されることにより、図１に示すパンツ型となる。つまり、吸収性本体１０の長手方向がおむつ１の上下方向に沿い、前側ベルト部２１と後側ベルト部２２とが環状に繋って、胴回り開口１ａ及び一対の脚回り開口１ｂが形成される。以下、前側ベルト部２１と後側ベルト部２２とが接合された領域を端部接合領域２４と言う。
【００４３】
また、本明細書中では、所定位置ＣＬにて折り曲げられた吸収性本体１０（吸収性コア１１）のうち、前側に折り曲げられた部分を「前側部１０Ｆ」、後側に折り曲げられた部分を「後側部１０Ｒ」とする。すなわち、図２の長手方向において、吸収性本体１０（吸収性コア）１１の所定位置ＣＬよりも前側の領域を「前側部１０Ｆ」と呼び、所定位置ＣＬよりも後側の領域を「後側部１０Ｒ」と呼ぶ場合がある。
【００４４】
吸収性本体１０は、図３に示すように、吸収性コア１１と、吸収性コア１１の肌側に位置するトップシート１２と、吸収性コア１１の非肌側に位置するバックシート１３とを有している。図４Ａは、展開且つ伸長状態の吸収性本体１０を肌側から見た概略平面図である。図４Ｂは、図４ＡのＡ−Ａ断面図である。なお、図４Ｂでは、説明の簡略化のため、吸収性コア１１に設けられる低坪量領域（後述）については非表示としている
【００４５】
吸収性コア１１は、尿等の排泄液を吸収して保持する部材であり、例えば高吸収性ポリマー（ＳＡＰ）が混入したパルプ繊維等の液体吸収性繊維により形成される。本実施形態の吸収性コア１１は、長手方向の前側端と後側端との間に、左右方向における幅が狭くなったくびれ部１１ｃを有しており、図４Ａに示されるような平面視略砂時計形状を有している。また、吸収性コア１１には周囲よりも坪量が低くなった領域である各種の低坪量領域が形成されている。低坪量領域の詳細については後で説明する。また、吸収性コア１１は、ティッシュペーパーや不織布等の液透過性のシートによって、外周面が覆われていても良い。
【００４６】
トップシート１２は、液透過性のシートであり、例えば親水性のエアスルー不織布やスパンボンド不織布等が用いられる。バックシート１３は、液不透過性シート１３ａ、及び、その非肌側に配された疎水性シート１３ｂの二層構造である。液不透過性シート１３ａとしては、例えば樹脂フィルム等が用いられ、疎水性シート１３ｂとしては、例えば柔軟性を有する疎水性の不織布等が用いられる。なお、バックシート１３は液不透過性シート１３ａの一層構造であっても良い。
【００４７】
バックシート１３の左右方向の両側にはサイドシート１４が設けられている。このサイドシート１４は、吸収性コア１１の左右方向の両端１１ｅｓ，１１ｅｓよりも左右方向の外側に延出し、吸収性本体１０の左右方向の両端１０ｅｓ，１０ｅｓを折り返し位置として左右方向の内側かつ厚さ方向の肌側に折り返されることによって、１対の防漏壁部４０形成している。防漏壁部４０には糸ゴム等の防漏壁弾性部材４１，４２が、吸収性本体１０の長手方向（上下方向）に沿って伸長された状態で固定されている。この防漏壁弾性部材４１，４２が長手方向に収縮することにより、吸収性本体１０の左右方向の両端部において一対の防漏壁部４０が肌側に立ち上がり、おむつ１の防漏壁として機能する。なお、サイドシート１４を設けず、バックシート１３（液透過性シート１３ｂ）を吸収性コア１１の左右方向の外側まで延出させることによって、防漏壁部４０が形成されるようにしても良い。
【００４８】
前側ベルト部２１、及び、後側ベルト部２２は、それぞれ図２に示すように、上下方向において端部接合領域２４が位置する胴回り領域２１１，２２１と、胴回り領域２１１，２２１よりも下側の股下側領域２１２，２２２とを有している。胴回り領域２１１，２２１は平面視長方形状を成している。股下側領域２１２，２２２は略台形形状を成し、その外縁部は、上下方向の下側に向かって左右方向の内側に傾斜する傾斜部２１２ｓ，２２２ｓを有している。つまり、股下側領域２１２，２２２は下側に向かって横幅が狭くなっている。また、本実施形態では、前側ベルト部２１の股下側領域２２１に比べて、後側ベルト部２２の股下側領域２２２の方が大きく、着用者の臀部を広く被覆可能となっている。
【００４９】
前側ベルト部２１、及び、後側ベルト部２２は、それぞれ図３に示すように、肌側に位置する肌側シート２１３，２２３と、非肌側に位置する非肌側シート２１４，２２４と、それらの間に位置し、少なくともおむつ１の左右方向に伸縮性を備える伸縮性不織布２１５，２２５とを有している。
【００５０】
肌側シート２１３，２２３、及び、非肌側シート２１４，２２４は、柔軟なシートであることが好ましく、例えばスパンボンド不織布やＳＭＳ不織布等が用いられる。
【００５１】
伸縮性不織布２１５，２２５は、例えば、弾性を有する熱可塑性エラストマー性繊維であるポリウレタン系エラストマーと、非弾性を有する熱可塑性樹脂性繊維であるポリオレフィン系樹脂のポリプロピレン（ＰＰ）とを有しており、ギア延伸等の適宜な延伸処理が施された不織布である。この延伸処理により、伸縮性不織布２１５，２２５は、所定の方向に伸縮性を有しているものとする。なお、延伸処理は、互いに直交する方向に延伸処理を行うものであっても良いし、所定方向にのみ延伸処理を行うものであっても良い。所定方向にのみ延伸処理を行った場合、所定方向における伸縮性が発現されるが、全ての繊維の配向が所定方向に沿っているとは限らないため、所定方向と直交する方向にも伸縮性が発現される。
【００５２】
肌側シート２１３，２２３、非肌側シート２１４，２２４、及び、伸縮性不織布２１５，２２５は、点在する複数の溶着部２５ａ，２５ｂ（例えば超音波溶着が施された領域）により接合されているため、例えば固化する接着剤により接合される場合に比べて、肌触りが柔らかくなっている。また、溶着部２５ａ，２５ｂの間において、伸縮性不織布２１５，２２５が収縮することで、肌側シート２１３，２２３、及び、非肌側シート２１４，２２４が厚さ方向の外側に湾曲して突出する。つまり、肌側シート２１３，２２３、及び、非肌側シート２１４，２２４が溶着部２５ａ，２５ｂの間で膨らむため、肌触りがより柔らかくなり、視覚的にも柔らかい印象を使用者に付与できる。
【００５３】
このような構成により、前側ベルト部２１、及び、後側ベルト部２２は、全体としておむつ１の左右方向（及び上下方向）に伸縮性を有している。前側ベルト部２１において左右方向の伸縮性を発現している領域を前側伸縮領域２１ｓとし、後側ベルト部２２において左右方向の伸縮性を発現している領域を後側伸縮領域２２ｓとする（図５の網掛け部参照）。また、溶着部２５ａ，２５ｂは、図２に示すように比較的に狭い間隔で点在している。そのため、本実施形態のおむつ１では、多方向に延び、且つ、きめ細やかな膨らみ（皺）が発生し、おむつ特有の一方向の皺（縦皺等）の発生を防止できるため、おむつ１の美観性が良い。
【００５４】
なお、伸縮性不織布２１５，２２５の代わりに伸縮性フィルムを用いても良い。但し、伸縮性フィルムの厚みはほぼ均一であるため、溶着部２５ａ，２５ｂの間の肌側シート２１３，２２３及び非肌側シート２１４，２２４の膨らみが潰れやすい。これに対して、伸縮性不織布２１５，２２５は溶着部２５ａ，２５ｂの間において厚みが増すため、肌側シート２１３，２２３及び非肌側シート２１４，２２４の膨らみが潰れ難く、肌触りの柔らかさや美観性を保つことができる。
【００５５】
また、溶着部２５ａ，２５ｂが点在する領域のうち、吸収性本体１０と厚さ方向に重なる第１点在領域Ｘと、それ以外の第２点在領域Ｙとで、溶着部２５ａ，２５ｂの形状や、単位面積当たりの溶着部２５ａ，２５ｂの割合を異ならせても良い。なお、図２において、第１点在領域Ｘでは、左右方向に対して４５度又は−４５度傾いた略長方形状の溶着部２５ａが交互に配置されている。一方、第２点在領域Ｙでは、円形状の溶着部２５ｂが千鳥状に配置されている。
【００５６】
また、第１点在領域Ｘに比べて第２点在領域Ｙの方が、単位面積当たりの溶着部２５ｂの面積が小さくなっている。そのため、汗やムレ等の問題を生じやすい胴回り領域２１１，２２１において、溶着部２５ｂにより通気性が阻害されてしまうことを抑制でき、適切な通気性を確保できる。一方、吸収性本体１０と重複する第１点在領域Ｘでは、前側ベルト部２１及び後側ベルト部２２の収縮が適度に抑えられ、吸収性本体１０の左右方向の収縮を軽減できる。
【００５７】
また、前側ベルト部２１、及び、後側ベルト部２２では、胴回り開口１ａに沿う領域に、糸ゴム等の胴回り弾性部材２６が複数配されている。同様に、脚回り開口１ｂに沿う領域に、糸ゴム等の脚回り弾性部材２７が複数配されている。つまり、おむつ１の胴回り及び脚回りは、胴回り弾性部材２６及び脚回り弾性部材２７によって、着用者の身体にしっかりと密着するため、おむつ１のずれ落ちや脚回りからの漏れを防止できる。一方、その他の部位は、伸縮性不織布２１５，２２５により面全体で緩やかに着用者の身体にフィットするため、締め付け感が軽減される。
【００５８】
股下部材２３は、長手方向の中央部分において左右方向の内側へ湾曲した平面視略砂時計形状を成している。また、図３に示すように、股下部材２３は、肌側に位置する肌側シート２３１と、非肌側に位置する非肌側シート２３２と、それらの間に位置し、おむつ１の上下方向（吸収性本体１０の長手方向）に伸縮性を付与する伸縮性不織布２３３とを有している。これらのシート２３１〜２３３は複数の溶着部（例えば第２点在領域Ｙと同様の溶着部２５ｂ）により接合されている。股下部材２３において、上下方向に沿った伸縮性が発現している領域を股下伸縮領域２３ｓとする（図５の斜線部参照）。
【００５９】
この股下伸縮領域２３ｓが設けられることにより、吸収性コア１１は着用者の股下部に密着でき、また、排泄により吸収性コア１１の重量が増しても、おむつ１の垂れ下がりを抑制できる。また、股下部材２３のうち脚回り開口１ｂに沿う領域に、複数の股下弾性部材２８が配されており、股下部材２３が着用者の脚回りに密着するようになっている。
【００６０】
＜＜吸収性コア１１の変形について＞＞
おむつ１を着用する際に、着用者の身体の動きに合わせて吸収性コア１１（吸収性本体１０）が変形する様子ついて説明する。
【００６１】
図５は、展開且つ伸長状態のおむつ１の概略平面図であり、各種伸縮領域（２１ｓ，２２ｓ，２３ｓ）と、吸収性コア１１との位置関係を説明する図である。図６は、吸収性コア１１を肌側から見た平面図である。
【００６２】
図５に示されるように、吸収性コア１１は、着用時に着用者の下腹部に位置する「下腹部位１１Ａ」と、着用者の股下部に位置する「股下部位１１Ｂ」と、着用者の臀部に位置する「臀部位１１Ｃ」とを有する。図５では、前側ベルト部２１と重複する部位を下腹部位１１Ａとし、後側ベルト部２２と重複する部位を臀部位１１Ｃとし、その間を股下部位１１Ｂとしている。すなわち、下腹部位１１Ａはおむつ１の前側部１０Ｆに位置する部位であり、臀部位１１Ｃはおむつ１の後側部１０Ｒに位置する部位である。そして、股下部位１１Ｂは、おむつ１の上下方向の下端部に位置し、所定位置ＣＬを跨いで前側部１０Ｆと後側部１０Ｒとに亘って設けられる部位である。
【００６３】
但し、図５に示す「股下部位１１Ｂ」の範囲は一例であり、これに限らない。例えば、長手方向において、前側ベルト部２１の端部接合領域２４の下端から後側ベルト部２２の端部接合領域２４の下端までの領域を１／３にしたときの中央領域を股下部位としても良い。
【００６４】
吸収性コア１１は、股下部位１１Ｂにおいて、周囲に比べて吸収性コア１１の坪量が低くなった領域である「股下低坪量領域３６」を有している。股下低坪量領域３６は、上下方向（吸収性コアの長手方向）に沿った縦長部３６ｌと、左右方向（吸収性コアの幅方向）に沿った横長部３６ｗとが交差することによって形成されている。なお、縦長部３６ｌは、股下部位１１Ｂにおいて左右方向に間隔を空けて複数設けられており、各々の縦長部３６ｌには、上下方向に間隔を空けて複数の横長部３６ｗが設けられている。
【００６５】
なお、吸収性コア１１の「坪量」とは、単位面積当たりの吸収性コア１１（例えばＳＡＰが混入した液体吸収性繊維）の質量（ｇ／ｍ２）である。股下低坪量領域３６と周囲との吸収性コア１１の坪量の比較は、周知の方法で行うと良い。例えば、目視で比較する方法がある。その他、対象部位を吸収性コア１１からサンプルとして切り出し、各サンプルの質量、及び、各サンプルの面積を測定し、単位面積当たりの質量を算出して比較する方法がある。以下に説明するその他の低坪量領域に関しても、同様である。
【００６６】
吸収性コア１１は、股下低坪量領域３６と周囲との剛性差により、股下低坪量領域３６を起点として折れ曲がりやすい。したがって、おむつ１の着用時において、吸収性コア１１はこの股下低坪量領域３６を起点として折れ曲がることによって着用者の身体の凹凸に合わせて容易に変形し、着用者の身体にフィットしやすくなる。特に、股下部位１１Ｂは、おむつ１の着用時において着用者の両脚に挟み込まれることにより左右方向の圧縮力を受けやすい部位である。そこで、股下部位１１Ｂにおいて上下方向に沿って延びる縦長部３６ｌと、左右方向に沿って延びる横長部３６ｗとを互いに交差させるように設けることにより、吸収性コア１１をより柔軟に変形させやすくすることができる。
【００６７】
また、図６に示されるように、吸収性コア１１は、股下低坪量領域３６よりも上下方向の上側、かつ、前後方向の後側（後側部１０Ｒ）に、周囲に比べて吸収性コア１１の坪量が低くなった領域である「第２股下低坪量領域３７」を有している。第２股下低坪量領域３７は、股下低坪量領域３６と略同様の構成を有しており、上下方向（吸収性コアの長手方向）に沿った縦長部３７ｌと、左右方向（吸収性コアの幅方向）に沿った複数の横長部３７ｗとが交差することによって形成されている。なお、第２股下低坪量領域３７は、股下部位１１Ｂと臀部位１１Ｃとを跨いで配置されている。また、上述した股下低坪量領域３６と第２股下低坪量領域３７とを区別するために、以下では、股下低坪量領域３６を「第１股下低坪量領域３６」と呼ぶ場合がある。
【００６８】
また、吸収性コア１１は、第１股下低坪量領域３６よりも上下方向の上側、かつ、前後方向の前側（前側部１０Ｆ）であって、第２股下低坪量領域３７の縦長部３７ｌの左右方向の間に、周囲に比べて吸収性コア１１の坪量が低くなった領域である「中央低坪量領域３２」を有している。中央低坪量領域３２は、吸収性コア１１の左右方向の中央部において、上下方向（吸収性コア１１の長手方向）に沿って配置され、周囲に比べて坪量が低く、左右方向よりも上下方向に長い略長方形状の領域である。同様に、股下低坪量領域３６よりも上下方向の上側、かつ、前後方向の後側（後側部１０Ｒ）の、左右方向の中央部には、中央低坪量領域３２と対応する「中央低坪量領域３３」が設けられている。本実施形態では、中央低坪量領域３２，３３において吸収性コア１１が存在しないものとする。すなわち、中央低坪量領域３２，３３は吸収性コア１１が厚さ方向に貫通した孔である。
【００６９】
これらの低坪量領域（３２，３３，３６，３７）のうち、後側部１０Ｒに設けられている（前側部１０Ｆに設けられていない）第２股下低坪量領域３７及び中央低坪量領域３３を合わせて、「後側低坪量領域３９」とする（図６参照）。
【００７０】
また、吸収性本体１０の後側部１０Ｒにおいて、後側低坪量領域３９よりも上下方向の上側（長手方向の後側）には、第２股下低坪量領域３７（及び中央低坪量領域３３）よりも坪量が高い「臀部高坪量領域５５」が設けられている。この臀部高坪量領域５５は、左右方向に連続した領域であり、後側低坪量領域３９と臀部高坪量領域５５との境界部は、左右方向の中央から両外側に向けて斜め下方向に傾斜している。したがって、臀部高坪量領域５５は図６に示されるような略Ｕ字型若しくはＶ字型の形状を有する領域となっている。なお、後側低坪量領域３９と臀部高坪量領域５５との「境界」は、第２股下低坪量領域３７の縦長部３７ｌの上下方向の上側端（長手方向の後側端）、及び、中央低坪量領域３３の上下方向の上側端（長手方向の後側端）を連続的に結んだ線（曲線）であり、図６では破線で表示されている。以下、後側低坪量領域３９と臀部高坪量領域５５との境界部のことを「第１境界部５５ＢＦ」とも呼ぶ。
【００７１】
なお、後側低坪量領域３９の「坪量」は、図６で左右方向の両端に配置された縦長部３７ｌと上下方向の両端部の破線によって囲まれた領域の平均の坪量のことを言う。同様に、臀部高坪量領域５５の坪量は、後側低坪量領域３９と臀部低坪量領域３８（後述）との間に挟まれた領域の平均の坪量のことを言う。
【００７２】
さらに、吸収性本体１０の後側部１０Ｒにおいて、臀部高坪量領域５５よりも上下方向の上側（長手方向の後側）には、周囲に比べて吸収性コア１１の坪量が低くなった領域である「臀部低坪量領域３８」が設けられている。臀部低坪量領域３８は第２股下低坪量領域３７と略同様の構成を有し、縦長部３８ｌ及ぶ横長部３８ｗを有している。
【００７３】
臀部高坪量領域５５と臀部低坪量領域３８との境界部は、左右方向の中央から両外側に向けて斜め下方向に傾斜している。臀部高坪量領域５５と臀部低坪量領域３８との「境界」は、臀部低坪量領域３８の縦長部３８ｌの上下方向の下側端（長手方向の前側端）を連続的に結んだ線（曲線）であり図６の点線で表示されている。以下、臀部高坪量領域５５と臀部低坪量領域３８との境界部のことを「第２境界部５５ＢＲ」とも呼ぶ。また、臀部低坪量領域３８の「坪量」は、図６で左右方向の両端に配置された縦長部３８ｌと第２境界部５５ＢＲ及び吸収性コア１１の後側端縁とによって囲まれた領域の平均の坪量のことを言う。
【００７４】
次に、おむつ１着用時における吸収性コア１１の変形について具体的に説明する。図７は、おむつ１着用時における吸収性コア１１の変形について説明する概略斜視図である。
【００７５】
中央低坪量領域３２，３３では、吸収性コア１１が厚さ方向に貫通し、剛性が最も低くなっている。つまり、吸収性コア１１は、中央低坪量領域３２，３３において最も折れ曲がり変形を生じやすい。そのため、おむつ１の着用時に、吸収性コア１１が着用者の股間部で両脚に挟み込まれると、該吸収性コア１１が中央低坪量領域３２，３３の部分で上下方向（吸収性コア１１の長手方向）に沿って左右に折れ曲がる。これにより、長手方向における中央低坪量領域３２，３３の間の股下部位１１Ｂにおいて、図７のように、吸収性コア１１が長手方向に沿って着用者の肌側に凸形状に変形し、凸部１１ｔが形成される。つまり、中央低坪量領域３２，３３は、吸収性コア１１を股下部位１１Ｂにおいて長手方向に沿って折り曲げる「折り誘導領域」としての機能を有する。吸収性コア１１が股下部位１１Ｂにおいて肌側に凸変形することにより、凸部１１ｔが着用者の排泄口や臀部の割れ目に沿ってフィットしやすく、股下部において排泄物の吸収性を向上させることができる。
【００７６】
そして、前側部１０Ｆでは、股下部位１１Ｂから下腹部位１１Ａにかけて、吸収性コア１１が着用者の腹部の曲面形状に沿って立ち上がる。また、後側部１０Ｒでは、股下部位１１Ｂから臀部位１１Ｃにかけて、吸収性コア１１が着用者の臀部の曲面形状に沿って立ち上がる。これにより、おむつ１の着用時において、吸収性コア１１は図７のような形状に変形する。
【００７７】
ここで、後側部１０Ｒにおける吸収性コア１１の変形に着目すると、おむつ１の着用時において、股下部位１１Ｂでは、上述のように吸収性コア１１が着用者の肌側に凸となる山型に変形し、上下方向（吸収性コア１１の長手方向）に沿って凸部１１ｔが連続した状態となっている。仮に、この凸部１１ｔが上下方向（長手方向）の全域に亘って連続して形成された場合、臀部位１１Ｃにも凸部１１ｔが形成されるため、着用者の臀部に凸部１１ｔが当たることにより、臀部における肌当たりが悪くなるおそれがある。また、臀部側の腰回りにおいて吸収性コア１１と着用者の肌との間に隙間が生じ、排泄物が漏出する原因となるおそれがある。
【００７８】
これに対して、本実施形態のおむつ１では、後側部１０Ｒにおいて、後側低坪量領域３９の上下方向の上側（長手方向の後側）に、臀部高坪量領域５５を設けることにより、臀部高坪量領域５５よりも上側（後側）の領域では吸収性コア１１が凸変形をしないようにしている。具体的には、股下部位１１Ｂにおいて吸収性コア１１を肌側に凸となるように折り曲げ変形させる力が臀部位１１Ｃに伝達されるのを、剛性の高い臀部高坪量領域５５によって遮断する。これにより、臀部高坪量領域５５よりも上側（後側）の領域において吸収性コア１１の左右方向中央部が着用者の肌側に凸変形することが抑制され、吸収性コア１１が図７のような面形状を維持した状態で臀部側に立ち上がるようになる。特に、後側低坪量領域３９のうち、貫通孔である中央低坪量領域３３は、吸収性コア１１の剛性が最も低く折れ曲がりやすい部位であることから、該中央低坪量領域３３よりも上下方向の上側（長手方向の後側）に臀部高坪量領域５５を設けることにより、そのような折れ曲がりの影響が臀部側に伝達されるのを抑制し、フィット性が悪化することを抑制できる。
【００７９】
また、おむつ１の着用時において、吸収性コア１１の股下部位１１Ｂは着用者の両脚で挟まれ、歩行時に着用者が脚を前後に動かすと、左右方向の右側の領域と左側の領域とで反対向きの力（せん断力）が作用することにより、皺が発生したり歪が生じたりしやすい。しかしながら、おむつ１では、股下部位１１Ｂにおいてそのような皺が生じたとしても、臀部高坪量領域５５よりも後側の領域では皺が生じ難くなる。
【００８０】
このように、臀部高坪量領域５５が設けられていることにより、股下部位１１Ｂにおいて吸収性コア１１に作用している力が、臀部高坪量領域５５よりも後側の臀部位１１Ｃに伝達されることが抑制される。したがって、臀部高坪量領域５５を挟んで股下部位１１Ｂと臀部位１１Ｃとで、吸収性コア１１が異なる変形をしやすくなり、各領域におけるフィット性が向上する。
【００８１】
そして、吸収性コア１１が変形する際には、股下部位１１Ｂにおいて吸収性コア１１を左右方向に圧縮するように作用していた力が第１境界部５５ＢＦに集約し、該第１境界部５５ＢＦを起点として、吸収性コア１１が臀部側に大きく立ち上がる。その結果、吸収性コア１１のうち臀部高坪量領域５５よりも上側（長手方向の後側）の領域は、股下部１１Ｂのように凸型に変形することなく、着用者の臀部側に立ち上がる。したがって、吸収性コア１１を着用者の身体形状に応じて自然に変形させやすくなる。
【００８２】
さらに、第１境界部５５ＢＦが左右方向の中央から両外側、かつ、長手方向の後側から前側に傾斜しているため、吸収性コア１１のうち臀部高坪量領域５５よりも上側（長手方向の後側）の領域は、該境界部の傾斜に沿って斜めに立ち上がり、着用者の臀部を包み込むように変形する。これにより、着用者の臀部における吸収性コア１１のフィット性を向上させることができる。
【００８３】
また、おむつ１では、後側低坪量領域３９を構成する第２股下低坪量領域３７に複数の縦長部３７ｌが設けられている。この領域は、股下部位１１Ｂにおいて着用者の脚の間に挟まれることにより、大きな力が作用しやすい部位であると共に、股下部位１１Ｂから臀部位１１Ｃにかけて、着用者の臀部の丸みに沿って吸収性コア１１が立ち上がり始める部分である。また、着用者が脚を動かした場合に、皺等が発生しやすい領域である。そのため、本実施形態では、この領域に複数の縦長部３７ｌを設け、縦長部３７ｌを起点として吸収性コア１１が折れ曲がり変形を生じやすくなるようにしている。これにより、着用者の臀部付近の身体形状に沿って吸収性コア１１が３次元的に変形しやすくなる。また、吸収性コア１１を細かく折れ曲がり変形させることで、吸収性コア１１の表面に皺を形成させようとする力を分散させ、皺の形成を抑制し、吸収性コア１１と着用者の身体との間に隙間が生じ難くすることができる。
【００８４】
また、おむつ１では、第２股下低坪量領域３７（後側低坪量領域３９）のうち少なくとも一部が、後側ベルト部２２の後側伸縮領域２２ｓと重複している。図５では、第１境界部５５ＢＦよりも左右方向の内側、かつ、上下方向の下側（長手方向の前側）の領域において第２股下低坪量領域３７と後側伸縮領域２２ｓとが重複している。したがって、おむつ１の着用時には、当該重複した部分において第２股下低坪量領域３７に対して後側伸縮領域２２ｓによる左右方向の収縮力が作用する。これにより、左右方向において第１境界部５５ＢＦによって挟まれた領域において、吸収性コア１１が収縮変形しやすくなり、着用者の脚の動き等によって発生する外力を緩衝しやすくなる。したがって、臀部側に力が伝達されることをより抑制しやすくなる。
【００８５】
また、おむつ１では、臀部高坪量領域５５も後側ベルト部２２の後側伸縮領域２２ｓと重複している。臀部高坪量領域５５のように剛性が高い領域は、基本的に変形し難く平面形状を維持しやすい領域であるため、着用者の臀部の丸みに沿ってフィットさせることが難しい。これに対して、本実施形態では、後側伸縮領域２２ｓによる収縮力を作用させることによって、臀部高坪量領域５５自体が変形しやすくなる。また、臀部高坪量領域５５の非肌側から左右方向の収縮力が作用することにより、該臀部高坪量領域５５が着用者の肌に押し付けられるようになる。これにより、臀部高坪量領域５５が着用者の臀部の丸み沿って曲面を形成するように変形しつつ、着用者の肌に密着しやすくなり、臀部における吸収性コア１１のフィット性をより向上させることができる。
【００８６】
また、第２股下低坪量領域３７（後側低坪量領域３９）のうち少なくとも一部が、後側ベルト部２２と重複していることから、当該重複している部分では、第２股下低坪量領域３７の非肌側における剛性が確保されやすくなっている。これにより、吸収性コア１１に左右方向の収縮力が作用した場合に、吸収性コア１１は非肌側よりも肌側に折れ曲がりやすくなるため、上述した凸変形を生じやすくなる。また、第２股下低坪量領域３７自体は低剛性であるため自在に変形可能であるのに対して、非肌側の後側ベルト部２２では複数のシート部材（２１３，２１４等）が積層され剛性が高いため、着用者の脚の動き等により第２股下低坪量領域３７に大きな力が作用した場合であっても、該第２股下低坪量領域３７において吸収性コア１１が破れたり大きくねじれたりすることが抑制される。すなわち、吸収性コア１１に対して過度な外力が作用する場合であっても、後側ベルト部２２によって外力が緩衝され、吸収性コア１１が破損することを抑制することができる。
【００８７】
また、吸収性コア１１の後側部１０Ｒにおいて、臀部高坪量領域５５よりも上下方向の上側（長手方向の後側）に、臀部低坪量領域３８が設けられていることにより、吸収性コア１１のフィット性を向上させることができる。上述したように本実施形態の吸収性コア１１は、臀部高坪量領域５５を挟んで上側の領域（臀部側）と下側（股下側）の領域とで全く異なる変形を行うため、それぞれの領域に低坪量領域が設けられていることにより、吸収性コア１１をより自然に変形させやすくすることができる。例えば、吸収性コア１１のうち、臀部高坪量領域５５よりも上側の領域では、臀部低坪量領域３８が着用者の臀部を包み込むように曲面状に変形することにより、臀部におけるフィット性を高めることができる。
【００８８】
また、臀部低坪量領域３８は複数の縦長部３８ｌを有しているが、これらの縦長部３８ｌは、図６に示されるように、上下方向において、第２境界部５５ＢＲから吸収性コア１１の上端（長手方向における後側の端）まで連続するように設けられている。すなわち、縦長部３８ｌの上下方向における下端位置は第２境界部５５ＢＲとの交点であり、縦長部３８ｌの上下方向における上端位置は吸収性コア１１の上端との交点である。縦長部３８ｌが吸収性コア１１の上端に達するように設けられていることにより、臀部高坪量領域５５に作用する応力が吸収性コア１１の上端側に逃げやすくなり、臀部位１１Ｃにおいて吸収性コア１１に皺や歪が生じることを抑制しやすくなる。また、上下方向において縦長部３８ｌの上端位置と吸収性コア１１の上端位置とが同じであることから、吸収性コア１１の上端縁において、坪量及び剛性が低くなる部分が形成され、該上端縁部分が柔軟に変形しやすくなる。したがって、着用者の臀部側の腰回り形状にあわせて吸収性コア１１の上端部が変形しやすくなり、また、該腰回りにおける肌触りをソフトにすることができる。なお、複数の縦長部３８ｌのうち全てが吸収性コア１１の上端に達するように設けられている必要はなく、一部の縦長部３８ｌが吸収性コア１１の上端に達していれば良い。
【００８９】
また、おむつ１では、第２境界部５５ＢＲが左右方向の中央から両外側に向けて斜め下方向に傾斜した、略Ｖ字型（Ｕ字型）となっている。したがって、吸収性コア１１において臀部高坪量領域５５よりも上側（長手方向の後側）の領域が、第２境界部５５ＢＲの傾斜に沿って斜めに立ち上がるようになり、着用者の臀部の丸みを包み込むような曲面を形成しやすくなる。
【００９０】
なお、左右方向に対する第２境界部５５ＢＲの傾斜角度は、左右方向に対する第１境界部５５ＢＦの傾斜角度よりも小さい。ここで、左右方向に対する傾斜角度とは、図６のように伸長させた状態の吸収性コア１１において、各境界部５５ＢＦ，５５ＢＲが左右方向に対してなす角度のうち小さい方の角度を言う。図６では、第２境界部５５ＢＲの傾斜角度θ５５ＢＲが、第１境界部５５ＢＦの傾斜角度θ５５ＢＦよりも小さくなっている（θ５５ＢＲ＜θ５５ＢＦ）。
【００９１】
股下部位１１Ｂに近い第１境界部５５ＢＦでは、傾斜角度θ５５ＢＦを大きくすることで、当該境界部における吸収性コア１１の変形量を大きくすることが可能である。したがって、股下部位１１Ｂで凸変形していた吸収性コア１１を、臀部側に向かって自然に立ち上がるように変形させやすくなる。一方、第２境界部５５ＢＲでは、第１境界部５５ＢＦと比較して吸収性コア１１の変形量が小さいため、傾斜角度θ５５ＢＲを小さくすることで、吸収性コア１１が臀部の丸みに沿って緩やかに変形しやすくなるようにしている。
【００９２】
また、図６に示されるように、左右方向における第２境界部５５ＢＲの長さＷ５５ＢＲは、左右方向における第１境界部５５ＢＦの長さＷ５５ＢＦよりも長くなっている（Ｗ５５ＢＲ＞Ｗ５５ＢＦ）。これにより、着用者の臀部に近い第２境界部５５ＢＲにおいて、吸収性コア１１が変形可能な領域をより広くすることができる。したがって、臀部の広い領域が吸収性コア１１によって覆われやすくなり、臀部領域におけるフィット性をより向上させることができる。
【００９３】
また、おむつ１では、後側低坪量領域３９の少なくとも一部が、股下伸縮領域２３ｓと重複している。吸収性コア１１の後側低坪量領域３９に対して、非肌側から上下方向の伸縮性が作用することにより、該後側低坪量領域３９では、吸収性コア１１が着用者の股間部に沿って湾曲するように変形する。また、吸収性コア１１が肌側に折れ曲がりやすくなるため、上述した凸形状への変形が促進される。
【００９４】
また、後側低坪量領域３９と第１股下低坪量領域３６との上下方向の間には、後側低坪量領域３９及び第１股下低坪量領域３６よりも坪量が高い「第２臀部高坪量領域５６」が設けられている。第２臀部高坪量領域５６は、臀部高坪量領域５５と略同様の高坪量領域であり、左右方向に連続して形成され、後側低坪量領域３９及び第１股下低坪量領域３６との境界部が、左右方向の中央から両外側に向けて斜め下方向に傾斜した略Ｕ字型若しくはＶ字型の形状を有する領域である。臀部高坪量領域５５よりも股下部位１１Ｂに近い位置に第２臀部高坪量領域５６が設けられていることにより、股下部位１１Ｂが着用者の脚に挟まれること等によって大きな力が作用した場合であっても、そのような力の一部が第２臀部高坪量領域５６において緩和され、臀部位１１Ｃに大きな力が伝達されることを抑制しやすくなる。したがって、吸収性コア１１のフィット性をより向上させることができる。
【００９５】
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのは言うまでもない。
【符号の説明】
【００９６】
１  パンツ型使い捨ておむつ（おむつ、パンツ型吸収性物品）、
１ａ  胴回り開口、１ｂ  脚回り開口、
１０  吸収性本体、１０Ｆ  前側部、１０Ｒ  後側部、
１１  吸収性コア、１１Ａ  下腹部位、１１Ｂ  股下部位、１１Ｃ  臀部位、
１１ｃ  くびれ部、１１ｔ  凸部、
１２  トップシート、１３  バックシート、１４  サイドシート、
２０  外装部材、
２１  前側ベルト部（腹側外装部材）、２１ｓ  前側伸縮領域、
２１１  胴回り領域、２１２  股下側領域、２１３  肌側シート、２１４  非肌側シート、２１５  伸縮性不織布、
２２  後側ベルト部（背側外装部材）、２２ｓ  後側伸縮領域、
２２１  胴回り領域、２２２  股下側領域、２２３  肌側シート、２２４  非肌側シート、２２５  伸縮性不織布、
２３  股下部材（股下外装部材）、２３ｓ  股下伸縮領域、
２３１  肌側シート、２３２  非肌側シート、２３３  伸縮性不織布、
２４  端部接合領域、
２５ａ，２５ｂ  溶着部、
２６  胴回り弾性部材、２７  脚回り弾性部材、２８  股下弾性部材、
３２  中央低坪量領域、３３  中央低坪量領域、
３６  股下低坪量領域（第１股下低低坪量領域）、３６ｌ  縦長部、３６ｗ  横長部、
３７  第２股下低坪量領域、３７ｌ  縦長部、３７ｗ  横長部、
３８  臀部低坪量領域、３８ｌ  縦長部、３８ｗ  横長部、
３９  後側低坪量領域、
４０  防漏壁部、
４１  防漏壁弾性部材、４２  防漏壁弾性部材、
５５  臀部高坪量領域、５５ＢＦ  第１境界部、５５ＢＲ  第２境界部、
５６  第２臀部高坪量領域、
ＣＬ  所定位置、
θ５５ＢＦ  傾斜角度、θ５５ＢＲ  傾斜角度
【図１】
2019118557.tif 000003
【図２】
2019118557.tif 000004
【図３】
2019118557.tif 000005
【図４】
2019118557.tif 000006
【図５】
2019118557.tif 000007
【図６】
2019118557.tif 000008
【図７】
2019118557.tif 000009